(57)【要約】【課題】格別なカバー部材を設けることなく取付板に取り付けられる電装部品等に上方から水が浸入せず、且つ、安価に生産することができる電装部品取付装置を提供する。【解決手段】本発明の電装部品取付装置３は、充電部を構成するトランス１０を含む電装部品を取り付けるための取付板１１を備え、該取付板の上部に電装部品側に折曲し、当該電装部品の上方に位置させた庇部１１Ｂを形成し、この庇部１１Ｂにて取付板１１上方から滴下した雨水や結露水などの水を受けることにより、取付板１１に取り付けられるトランス１０などの電装部品に水が浸入する不都合を回避する。【選択図】      図１
2004286321.tif 000002
【特許請求の範囲】
【請求項１】
充電部を有する電装部品を取り付けるための取付板を備え、該取付板の上部を前記電装部品側に折曲し、当該電装部品の上方に位置させたことを特徴とする電装部品取付装置。
【請求項２】
室外に設置されるユニット内に設けられることを特徴とする請求項１の電装部品取付装置。
【請求項３】
前記ユニットは、空気調和機の室外ユニット又は、冷凍機の熱源側ユニット、若しくは、給湯器のうちの何れかであることを特徴とする請求項２の電装部品取付装置。
【発明の詳細な説明】
【０００１】
【発明の属する技術分野】
本発明は、取付板に電装部品を取り付け、収納する電装部品取付装置に関するものである。
【０００２】
【従来の技術】
従来より、空気調和機や冷凍機などに用いられる室外ユニットなどには、本体内に熱交換器や当該熱交換器用の送風機、圧縮機、アキュームレータ等の各機器を備え、当該本体の側方には、仕切板などで区画された機械室が設けられる。この機械室前面には、当該機械室を開閉自在とするための前面パネルが設けられ、機械室内には、前記機器を駆動するための電装部品としての電源部を構成するトランスやスイッチやリレーなどの回路などが取り付けられる電装箱が収納される（特許文献１参照）。
【０００３】
図５は、他の従来の室外ユニットなどに設けられる電装部品取付板１００を示している。この電装部品取付板１００は例えば鋼板性部材を屈曲形成することにより、前後に２段に形成されている。そして、係る実施例では左側の前段に形成される電装部品取付面１０１には、各端子１０２が取り付けられていると共に、右側の後段に形成される電装部品取付面１０３には、充電部を構成するトランス１０４やその他の電装部品を構成するリレーやスイッチなどが取り付けられている。
【０００４】
また、この電装部品取付板１００には、上方から電装部品に水が浸入することを防止するため、当該電装部品取付板１００の上端には、図６に示す如きカバー部材１０５が取り付けられている。このカバー部材１０５は、例えば硬質合成樹脂製の板状部材により構成されており、当該外縁部には、下方に突出したフランジ１０５Ａが形成されている。そして、当該カバー部材１０５を電装部品取付板１００の上端に取り付けることにより、該電装部品取付板１００に取り付けられる各電装部品への水の浸入を防止し、これにより、トランス１０４が漏電し、充電時間が短縮されたり、他の電装部品等が水の浸入により機械的不具合を生じる不都合を回避していた。
【０００５】
【特許文献１】
特開平７−１９０４１７号公報
【０００６】
【発明が解決しようとする課題】
しかしながら、従来の室外ユニット等に設けられる電装部品取付板１００は、上述した如く、当該電装部品取付板１００の上端に、防水構造を有するカバー部材１０５を取り付けることにより、雨水や結露水など上方から滴下する水滴が電装部品取付板１００及び当該電装部品取付板１００に取り付けられる各電装部品にまで浸入しない構成としていたが、係る構成では、複数の部材により電装部品取付板を構成しなければ成らず、部品点数の増加、及び加工作業の増加を招く問題があった。
【０００７】
また、カバー部材１０５は、電装部品取付板１００と別部品により構成されるため、容易に該部品間に完全に水が浸入しない構成とすることは困難であった。
【０００８】
そこで、本発明は従来の技術的課題を解決するために成されたものであり、格別なカバー部材を設けることなく取付板に取り付けられる電装部品等に上方から水が浸入せず、且つ、安価に生産することができる電装部品取付装置を提供することを目的とする。
【０００９】
【課題を解決するための手段】
本発明の電装部品取付装置は、充電部を有する電装部品を取り付けるための取付板を備え、該取付板の上部を電装部品側に折曲し、当該電装部品の上方に位置させたことを特徴とする。
【００１０】
本発明によれば、充電部を有する電装部品を取り付けるための取付板を備え、該取付板の上部を電装部品側に折曲し、当該電装部品の上方に位置させたので、当該取付板の上部にて該取付板上方から滴下した雨水や結露水などの水を受けることができ、これにより、取付板に取り付けられる充電部などの電装部品に水が浸入する不都合を回避することができるようになる。
【００１１】
特に、本発明によれば、従来電装部品取付板の上端に取り付けられていたカバー部材を不要とすることができるようになり、部品点数の削減及び取付作業性の簡素化を図ることができるようになる。これにより、コストの削減を図ることができるようになる。また、一部品にて電装部品への水の浸入を回避することができるようになり、従来の如く二部品以上にて構成した場合に比して耐水性の向上を図ることができるようになる。
【００１２】
請求項２の発明の電装部品取付装置は、上記発明において室外に設置されるユニット内に設けられることを特徴とする。
【００１３】
請求項２の発明によれば、上記発明において室外に設置されるユニット内に設けられるので、外部からの雨水や温度差により生じる結露水などを取付板の上部にて受けることができ、当該電装部品取付装置に取り付けられた電装部品に水が浸入する不都合を回避することができるようになる。
【００１４】
請求項３の発明の電装部品取付装置は、上記発明において、ユニットは、空気調和機の室外ユニット、又は、冷凍機の熱源側ユニット、若しくは、給湯器のうちの何れかであることを特徴とする。
【００１５】
請求項３の発明によれば、上記発明において、ユニットは、空気調和機の室外ユニット、又は、冷凍機の熱源ユニット、若しくは、給湯器のうちの何れかとすることにより、これらユニットにおいて生じる結露水などの水が電装部品に浸入することを防止することができるようになる。
【００１６】
【発明の実施の形態】
以下、図面に基づき本発明の実施例を詳述する。図１は本発明を適用した空気調和機の室外ユニット１の斜視図を示している。尚、この図は、機械室２の電装部品取付装置３を透視しているものとする。室外ユニット１は、筐体により構成される本体１Ａ内に熱交換器（図示しない）が配置されており、当該熱交換器の近傍には熱交換器用送風機４が配設されている。そして、本体１Ａの前面には、熱交換器用送風機４が配設される位置に対応して空気排出口５が形成されていると共に、該本体１Ａの後面または側面には、空気を本体１Ａ内に取り込むための図示しない空気吸込口が形成されている。
【００１７】
この本体１Ａの側方には、全面がパネルにて覆われた機械室２が形成されており、当該機械室２の前面には、開閉自在とされた前面パネル６が設けられている。また、この機械室２内には、圧縮機と、アキュームレータ及びレシーバタンク（何れも図示せず）等の機器と、これら機器を駆動するための電装部品としての電源部を構成するトランス１０や、その他の電装部品を構成するスイッチやリレーなどが取り付けられる電装部品取付装置３が収納されている。
【００１８】
ここで、図２乃至図４を参照して本発明の電装部品取付装置３について説明する。図２は電装部品取付装置３の正面図、図３は取付板１１の平面図、図４は取付板１１の左側面図を示している。この電装部品取付装置３は、例えば鋼板性の取付板１１により構成されており、本実施例では、図３及び図４に示す如く左側端は、後方に略直角に折曲された取付部１１Ａが形成されていると共に、該取付板１１の上部は、前方、即ち電装部品側に所定角度、本実施例では、電装部品取付面に対し、略９６°で折曲形成された庇部１１Ｂが形成されている。尚、取付板１１の取付部１１Ａには、本実施例では、上下に二カ所（それ以上であっても良い）、係合孔１１Ｃが形成されている。
【００１９】
そして、この取付板１１の電装部材取付面には、前記庇部１１Ｂの下方に位置して、上述した如く充電部を構成するトランス１０と、各端子１２と、その他の電装部品を構成するリレーやスイッチなどの回路などが取り付けられている。
【００２０】
以上の構成により、当該電装部品取付装置３は、前記前面パネル６を開放し、取付板１１の取付部１１Ａを機械室２と隣接する本体１Ａの側壁の、本実施例では、上部中央に図示しないネジにより固定する。これにより、電装部品取付装置３を機械室２内に固定することができるようになる。
【００２１】
ここで、電装部品取付装置３の庇部１１Ｂは、上述した如く前方、即ち電装部品側に所定角度にて折曲形成されることにより構成されていることから、機械室２の上方から雨水や結露水などの水を、庇部１１Ｂにて受けることができ、これにより、庇部１１Ｂの下方に位置して当該取付板１１に取り付けられるトランス１０などの各電装部品にまで水が浸入することを未然に回避することができるようになる。これにより、トランス１０が漏電し、充電時間が短縮されたり、他の電装部品等に水が浸入することにより生じる機械的不具合を回避することができるようになる。
【００２２】
特に、本発明によれば、従来の如く電装部品取付板の上端に取り付けられていたカバー部材を不要とすることができるようになり、部品点数の削減及び取付作業性の簡素化を図ることができるようになる。これにより、コストの削減を図ることができるようになる。また、一部品にて電装部品への水の浸入を回避することができるようになり、従来の如く二部品以上にて構成した場合に比して耐水性の向上を図ることができるようになる。
【００２３】
更にまた、取付板１１の庇部１１Ｂは、上述した如く電装部品の取付面に対し、約９６°の角度にて折曲形成されていることから、上方から滴下した水を庇部１１Ｂにて受けた後、当該少許の角度にて後方に指向し、当該取付板１１の後面を伝って下方に流下させることができるようになる。そのため、取付板１１の前面を伝って電装部品側に水が浸入することを回避することができるようになる。
【００２４】
尚、本実施例では、取付板１１の素材を鋼板製としているが、これ以外にも硬質合成樹脂や、その他材料により構成しても良い。
【００２５】
また、本実施例では、室外に設置されるユニットとして空気調和機の室外ユニット１を例として挙げているが、これ以外にも、冷凍機の熱源側ユニットや給湯器などであっても良いものとする。
【００２６】
【発明の効果】
以上詳述した如く本発明によれば、充電部を有する電装部品を取り付けるための取付板を備え、該取付板の上部を電装部品側に折曲し、当該電装部品の上方に位置させたので、当該取付板の上部にて該取付板上方から滴下した雨水や結露水などの水を受けることができ、これにより、取付板に取り付けられる充電部などの電装部品に水が浸入する不都合を回避することができるようになる。
【００２７】
特に、本発明によれば、従来電装部品取付板の上端に取り付けられていたカバー部材を不要とすることができるようになり、部品点数の削減及び取付作業性の簡素化を図ることができるようになる。これにより、コストの削減を図ることができるようになる。また、一部品にて電装部品への水の浸入を回避することができるようになり、従来の如く二部品以上にて構成した場合に比して耐水性の向上を図ることができるようになる。
【００２８】
請求項２の発明によれば、上記発明において室外に設置されるユニット内に設けられるので、外部からの雨水や温度差により生じる結露水などを取付板の上部にて受けることができ、当該電装部品取付装置に取り付けられた電装部品に水が浸入する不都合を回避することができるようになる。
【００２９】
請求項３の発明によれば、上記発明において、ユニットは、空気調和機の室外ユニット、又は、冷凍機の熱源ユニット、若しくは、給湯器のうちの何れかとすることにより、これらユニットにおいて生じる結露水などの水が電装部品に浸入することを防止することができるようになる。
【図面の簡単な説明】
【図１】本発明を適用した空気調和機の室外ユニットの斜視図である。
【図２】電装部品取付装置の正面図である。
【図３】取付板の平面図である。
【図４】取付板の側面図である。
【図５】従来の電装部品取付板の正面図である。
【図６】図５のカバー部材の斜視図である。
【符号の説明】
１  室外ユニット
１Ａ  本体
２  機械室
３  電装部品取付装置
４  熱交換器用送風機
５  空気排出口
６  前面パネル
１０  トランス
１１  取付板
１１Ａ  取付部
１１Ｂ  庇部
１１Ｃ  係合孔
【図１】
2004286321.tif 000003
【図２】
2004286321.tif 000004
【図３】
2004286321.tif 000005
【図４】
2004286321.tif 000006
【図５】
2004286321.tif 000007
【図６】
2004286321.tif 000008